(57)【要約】【解決手段】  筒状織布に気密処理を施してなる扁平に折り畳み可能の可撓性筒状体２を二つ折りにし、その両端に流体圧入金具４及びエアー抜き金具５を取り付ける。またその外側に筒状布１２を嵌合し、可撓性筒状体２内にはテープ１３などの長尺物を挿通することが好ましい。【効果】  可撓性筒状体が二つ折りにされており、その金具などが一方の端末に集中しているので、重量物の下の１〜２cm程度の隙間があれば手前からの操作のみによってその下に挿入することができ、且つ可撓性筒状体の端末は強固な金具で固定することができるので、十分に高圧を作用させて大きな力を作用させることができる。【選択図】          図１
2005247499.tif 000002
【特許請求の範囲】
【請求項１】
筒状織布に気密処理を施してなる扁平に折り畳み可能の可撓性筒状体（２）を二つ折りにし、その両端の少なくとも一方に流体圧入金具（４）を取り付けたことを特徴とする、ジャッキ装置
【請求項２】
前記可撓性筒状体（２）が消防用ホース又はその短片であることを特徴とする、請求項１に記載のジャッキ装置
【請求項３】
前記可撓性筒状体（２）の一方の端末に前記流体圧入金具（４）を取り付けると共に、他方の端末にエアー抜き金具（５）を取り付けたことを特徴とする、請求項１又は２に記載のジャッキ装置
【請求項４】
前記流体圧入金具（４）とエアー抜き金具（５）とを連結して固定したことを特徴とする、請求項３に記載のジャッキ装置
【請求項５】
前記可撓性筒状体（２）を二つ折りの状態で拘束したことを特徴とする、請求項１、２、３又は４に記載のジャッキ装置
【請求項６】
前記可撓性筒状体（２）を二つ折りにした状態で、その外側に筒状布（１２）を嵌合して拘束したことを特徴とする、請求項５に記載のジャッキ装置
【請求項７】
前記二つ折りの可撓性筒状体（２）内の少なくとも折り曲げ部（３）を跨がって、ロープ、紐、ワイヤ、ベルト、テープ（１３）などの柔軟な長尺物を挿通したことを特徴とする、請求項１、２、３、４、５又は６に記載のジャッキ装置
【発明の詳細な説明】
【技術分野】
【０００１】
本発明はジャッキ装置に関するものであって、特に事故や火災の現場などにおいて、人命救助のために一時的に重量物を持ち上げたり隙間を拡げたりするための、流体圧を使用するバッグ状のジャッキ装置に関するものである。
【背景技術】
【０００２】
従来から、上述のようなバッグ状のジャッキ装置としては、例えば実用新案登録第３０２６１５５号公報に示されるように、気密性と可撓性とを有するチューブの開口部を閉塞し、そのチューブ内に圧縮空気を圧入して膨らませ、重量物を持ち上げるようにしたものが知られている。そしてこの種のジャッキ装置は、重量物の下敷きになった要救助者を救出する手段として、消防署などに配備されている。
【０００３】
しかしながらこのようなジャッキ装置では、高圧に耐える状態でチューブの開口部を閉塞するのが困難である。特に事故などの際に重量物の下敷きになった要救助者を救出する際には重量物の下に形成される狭い隙間に差し込まなければならず、その障害となることなく且つ高圧に耐える状態で閉塞しなければならない。
【０００４】
前記公報に示された発明では、チューブの開口部を一対の金属板で挟み、ネジで締め付けて圧着封止されているが、このような構造ではチューブ自体の厚みは小さくとも、それに金属板やネジの頭部の厚みを考慮すれば、相当程度の厚みは必要となる。
【０００５】
特に事故などの際に重量物を持ち上げるときには、作業者が重量物の手前のみから作業せざるを得ない場合が多く、前記封止部分をも重量物の隙間に挿入可能であることが要求され、前記公報の構造でも不十分である。
【０００６】
また金具などを使用することなく、チューブの開口部を縫合や接着などの手段で閉塞することも考えられるが、かかる縫合部や接着部はチューブ本体に比べると耐圧強度に劣り、十分な圧力をかけることができない。
【特許文献１】実用新案登録第３０２６１５５号公報
【発明の開示】
【発明が解決しようとする課題】
【０００７】
本発明はかかる事情に鑑みなされたものであって、重量物の下の１〜２cm程度の極めて狭い隙間にも挿入し、且つ十分に高圧を作用させて大きな力を作用させることのできるジャッキ装置を提供することを目的とするものである。
【課題を解決するための手段】
【０００８】
而して本発明は、筒状織布に気密処理を施してなる扁平に折り畳み可能の可撓性筒状体を二つ折りにし、その両端の少なくとも一方に流体圧入金具を取り付けたことを特徴とするものである。前記可撓性筒状体としては、消防用ホース又はその短片を使用することができる。
【０００９】
本発明においては、前記可撓性筒状体の一方の端末に前記流体圧入金具を取り付けると共に、他方の端末にエアー抜き金具を取り付けることが好ましい。またこの場合、前記可撓性筒状体の両端の流体圧入金具とエアー抜き金具とを、適宜の手段で連結して互いに固定することが好ましい。
【００１０】
また本発明においては、前記可撓性筒状体を二つ折りの状態で拘束しておくことが好ましい。その拘束の手段としては、前記可撓性筒状体を二つ折りにした状態で、その外側に筒状布を嵌合して拘束することができる。
【００１１】
さらに本発明においては、前記二つ折りの可撓性筒状体内の少なくとも折り曲げ部を跨がって、ロープ、紐、ワイヤ、ベルト、テープなどの柔軟な長尺物を挿通しておくことが好ましい。
【発明の効果】
【００１２】
本発明によれば、可撓性筒状体が二つ折りにされており、その金具などが一方の端末に集中しているので、重量物の下の１〜２cm程度の隙間があれば手前からの操作のみによってその下に挿入することができ、且つ可撓性筒状体の端末は強固な金具で固定することができるので、縫合や接着などの手段と異り十分に高圧を作用させて大きな力を作用させることができる。
【発明を実施するための最良の形態】
【００１３】
以下本発明の実施の形態を図面に従って説明する。図面は本発明のジャッキ装置１を示すものであって、２は可撓性筒状体であり、当該可撓性筒状体２は折り返し部３において二つ折りになっており、その両端に流体圧入金具４及びエアー抜き金具５が取り付けられており、その流体圧入金具４とエアー抜き金具５とは連結金具６によって連結されて固定されている。
【００１４】
可撓性筒状体２は、筒状織布の内面に気密性の内張りを形成して気密処理を施したものであって、柔軟であって扁平の折り畳み可能であり、且つ気密性を有していて高い耐圧性能を有している。かかる可撓性筒状体２としては消防用ホースの構造が適しており、その消防用ホースの短片をそのまま使用することができる。
【００１５】
流体圧入金具４及びエアー抜き金具５はそれぞれ有底の筒体であって、その筒部７が可撓性筒状体２の端末に挿入され、可撓性筒状体２の外側から金属バンド８で締め付けて固定され、その筒体の底部９にはそれぞれ流体圧入管１０及びエアー抜き管１１が結合されている。
【００１６】
なお可撓性筒状体２に圧入する流体としては、安全に高圧で圧入できるので水などの液体を使用するのが好ましく、この場合には前記エアー抜き金具５が必要であるが、流体として圧縮空気を使用する場合には、必ずしもエアー抜き金具５は必要ではなく、適宜の手段で可撓性筒状体２の端末を閉塞すれば足りる。
【００１７】
また図面においては、二つ折りにされた可撓性筒状体２の外側に筒状布１２が嵌合されて、可撓性筒状体２を二つ折りの状態に拘束している。その筒状布１２は、可撓性筒状体２の約１．５〜２倍程度の径を有するものをそのまま嵌合する。図面においては筒状布１２の先端が縫合して閉塞されているが、これは必ずしも必要ではなく、単に嵌合しただけであっても差し支えない。
【００１８】
本発明においては筒状布１２は必ずしも必要なものではないが、可撓性筒状体２内に流体圧力を作用させたときに、筒状布１２が環状に彎曲して間が開く恐れがあるので、それを防ぐために筒状布１２で拘束するのが好ましい。その他拘束の手段としては、適宜の紐やベルトなどを巻いて拘束することもできる。
【００１９】
また前記図面の例においては、前記二つ折りの可撓性筒状体２内に細幅のテープ１３が挿通されている。ここでテープ１３に代えて、ロープ、紐、ワイヤ、ベルトなどの長尺物を使用することもできる。またこのテープ１３は、可撓性筒状体２の全長に亙って挿通されている必要はなく、折り返し部３に存在すれば良い。
【００２０】
而して本発明においては、常時は可撓性筒状体２は二つ折りにされた状態で、内部の流体を抜いて扁平に折り畳まれている。この状態が図２に示されており、この状態では全体の厚みは１cm程度と極めて小さく、重量物の下に僅かな隙間があれば容易にその隙間に差し込むことができる。
【００２１】
この状態で流体圧入管１０から流体圧入金具４を介して可撓性筒状体２内に水などの圧力流体を圧入すると、可撓性筒状体２は図１及び図３に示すように二つ折りの部分が上下に重なった状態で膨らみ、重量物を押上げることができる。
【００２２】
このとき、可撓性筒状体２は折り返し部３で折り曲げられているため、その折り返し部３においては扁平状態のままで強く折り曲げられ、その折り返し部３を流体が通ることができず、可撓性筒状体２の一端から流体を圧入しても全体を膨らませることができないことがある。
【００２３】
そこで前述のように折り返し部３を跨がってテープ１３等の長尺物を挿通しておくことにより、当該テープ１３の両側縁部に生ずる僅かな隙間を通して流体が通過することができ、可撓性筒状体２全体を膨らませることができる。
【００２４】
また可撓性筒状体２内に流体が圧入されると、可撓性筒状体２内に滞留していた空気は、エアー抜き金具５からエアー抜き管１１を通じて排出され、可撓性筒状体２内は流体で満たされる。
【００２５】
可撓性筒状体２が膨らむときには、二つの円筒形部分が上下に重なって膨らむため不安定な姿勢となるが、膨らむ前には扁平であるため安定して重なった状態を採り、また膨らみ始めると重量物により抑えられた状態となるため、重なった状態が崩れることはなく、安定して膨らんで重量物を持ち上げることができる。
【００２６】
本発明によれば、可撓性筒状体２は二つ折りにされており、その端末を閉塞する金具などは一方の端に集約され、先端部は可撓性筒状体２が折り返し部３で折り曲げられているだけであって、金具や閉塞手段はないので、扁平状態の可撓性筒状体２を二つ折りにした厚みに相当する１〜２cm程度の隙間さえあれば、手前からの操作のみにより重量物の下に挿入することができる。
【００２７】
また可撓性筒状体２の端末は、その可撓性筒状体２の構造や特性に応じて強固な金具で閉塞することができ、可撓性筒状体２の耐圧性能に見合った高圧の流体を圧入して重量の大きな重量物をジャッキアップすることも可能であって、事故や火災などの現場における人命救助の作業を極めて効率良く行うことができる。
【図面の簡単な説明】
【００２８】
【図１】本発明のジャッキ装置の中央縦断面図
【図２】本発明のジャッキ装置の平常状態における横断面図
【図３】本発明のジャッキ装置の使用状態における横断面図
【符号の説明】
【００２９】
１  ジャッキ装置
２  可撓性筒状体
３  折り返し部
４  流体圧入金具
５  エアー抜き金具
１２  筒状布
１３  テープ
【図１】
2005247499.tif 000003
【図２】
2005247499.tif 000004
【図３】
2005247499.tif 000005